Podtech/llm-jp-corpus-v4-ja_patent huggingface dataset:
(57)【要約】      （修正有）【課題】継続的に利用でき、放水時間を気にする事なくシャワーを使用することができる押釦式終止シャワーの提供。【解決手段】押釦式終止シャワーでの押釦部へ吸盤１を装着させる。吸盤上部の取付部からシャワーホース締結金具部分に巻きつける為のマジックテープベルト２を設け、マジックテープベルト一端にマジックテープの結合部３を設けた、片手の作業を装置により行い、放水時間を気にする事なくシャワーを使用することを可能としたスムーズな入浴を楽しむ事に役立つ。【選択図】図１
0003114267.tif 000002
【実用新案登録請求の範囲】
【請求項１】
押釦式終止シャワーの押釦部へ吸盤を装着させ、吸盤上部の取付部からシャワーホース締結金具部分に巻きつける為のマジックテープベルトを設け、マジックテープベルトの一端にマジックテープの結合面を設けた押釦式終止シャワー利用維持装置。
【考案の詳細な説明】
【技術分野】
【０００１】  本考案は、押釦式終止シャワーを継続的に利用できる装置に関するものである。
【背景技術】
【０００２】  温泉場や大衆浴場及び、スポーツ施設等においてシャワーを使用する際、一定時間のみシャワーが放水される押釦式終止シャワーを利用していた。
【考案の開示】
【考案が解決し様とする課題】
【０００３】  一定時間だけの放水の為、継続的に利用するには常に釦を押しなおす動作を行う必要があり片手を押釦で塞がれた状態になる。もう一方の手で体や髪の泡立った石鹸を洗い流すのは時間的、労力的に負担である。
従って、押釦式終止シャワーへ利用維持装置を取付けることで、放水時間を気にする事なくシャワーを使用することが可能になり、前述の欠点を解決しようとするものである。
【課題を解決するための手段】
【０００４】  本考案は、押釦式終止シャワーの押釦部へ吸盤を装着させる。吸盤上部の取付部からシャワーホース締結金具部分に巻きつける為のマジックテープベルトを設け、マジックテープベルト一端にマジックテープの結合面を設けることにより問題点を解決している。
【考案の効果】
【０００５】  上述の様に、本考案の押釦式終止シャワーを継続的に利用できる装置は、放水時間を気にする事なくシャワーを使用することができる時間的、労力的負担の軽減になる。しかも両手があきスムーズな入浴を楽しむ事が可能になる。
【考案の実施するための最良の形態】
【０００６】  押釦式終止シャワーの押釦部へ吸盤を装着させると同時に釦を押すこととなる。シャワーからの放水が始まっており、マジックテープベルトをシャワーホース締結金具部分に巻きつける。マジックテープの一端とマジックテープベルトを結合させ固定することで継続利用が可能となる。継続的な放水を止水するにはマジックテープの一端を外すと一定放水時間が終れば必然的に止まる。押釦部へ吸盤で装着している為、利用しない時の装置の粉失を防止と共に、再利用の時は上述の操作を繰返すのみで、利用時間の調節が可能となる。
【実施例】
【０００７】  以下、添付図面に従って一実施例を説明する。水場での利用の為、耐水性に優れた素材で、１はポリエチレン製素材の吸盤を、２はナイロン製素材のマジックテープを使用する。マジックテープベルトはループ状になる様、結合部を一端に寄せる。これにより長さの調節が自在になる為、形状の異なる押釦式終止シャワー器具にも対応できる。【０００８】  吸盤付取外しベルトにもなり入浴時の洗面具やタオルかけを併用できる。
【図面の簡単な説明】
【０００９】
【図１】本考案の押釦式終止シャワー利用維持装置の実施例を示す正面図である。
【図２】本考案の押釦式終止シャワー利用維持装置の実施前を示す正面図である。
【符号の説明】
【００１０】  １  吸盤
２  マジックテープベルト
３  マジックテープ結合部
【図１】
0003114267.tif 000003
【図２】
0003114267.tif 000004
【手続補正書】
【提出日】平成17年2月28日(2005.2.28)
【手続補正１】
【補正対象書類名】実用新案登録請求の範囲
【補正対象項目名】全文
【補正方法】変更
【補正の内容】
【実用新案登録請求の範囲】
【請求項１】
押釦式終止シャワーの押釦部へ吸盤を装着させ、吸盤上部の取付部からシャワーホース締結金具部分に巻きつける為の面ファスナーベルトを設け、面ファスナーベルトの一端に面ファスナーの結合面を設けた押釦式終止シャワー利用維持装置。
【手続補正２】
【補正対象書類名】明細書
【補正対象項目名】全文
【補正方法】変更
【補正の内容】
【考案の詳細な説明】
【技術分野】
【０００１】  本考案は、押釦式終止シャワーを継続的に利用できる装置に関するものである。
【背景技術】
【０００２】  温泉場や大衆浴場及び、スポーツ施設等においてシャワーを使用する際、一定時間のみシャワーが放水される押釦式終止シャワーを利用していた。
【考案の開示】
【考案が解決し様とする課題】
【０００３】  一定時間だけの放水の為、継続的に利用するには常に釦を押しなおす動作を行う必要があり片手を押釦で塞がれた状態になる。もう一方の手で体や髪の泡立った石鹸を洗い流すのは時間的、労力的に負担である。
従って、押釦式終止シャワーへ利用維持装置を取付けることで、放水時間を気にする事なくシャワーを使用することが可能になり、前述の欠点を解決しようとするものである。
【課題を解決するための手段】
【０００４】  本考案は、押釦式終止シャワーの押釦部へ吸盤を装着させる。吸盤上部の取付部からシャワーホース締結金具部分に巻きつける為の面ファスナーベルトを設け、面ファスナーベルト一端に面ファスナーの結合面を設けることにより問題点を解決している。
【考案の効果】
【０００５】  上述の様に、本考案の押釦式終止シャワーを継続的に利用できる装置は、放水時間を気にする事なくシャワーを使用することができる時間的、労力的負担の軽減になる。しかも両手があきスムーズな入浴を楽しむ事が可能になる。
【考案の実施するための最良の形態】
【０００６】  押釦式終止シャワーの押釦部へ吸盤を装着させると同時に釦を押すこととなる。シャワーからの放水が始まっており、面ファスナーベルトをシャワーホース締結金具部分に巻きつける。面ファスナーの一端と面ファスナーベルトを結合させ固定することで継続利用が可能となる。継続的な放水を止水するには面ファスナーの一端を外すと一定放水時間が終れば必然的に止まる。押釦部へ吸盤で装着している為、利用しない時の装置の粉失を防止と共に、再利用の時は上述の操作を繰返すのみで、利用時間の調節が可能となる。
【実施例】
【０００７】  以下、添付図面に従って一実施例を説明する。水場での利用の為、耐水性に優れた素材で、１は塩化ビニール製素材の吸盤を、２はナイロン製素材の面ファスナーを使用する。面ファスナーベルトはループ状になる様、結合部を一端に寄せる。これにより長さの調節が自在になる為、形状の異なる押釦式終止シャワー器具にも対応できる。【０００８】  吸盤付取外しベルトにもなり入浴時の洗面具やタオルかけを併用できる。
【図面の簡単な説明】
【０００９】
【図１】本考案の押釦式終止シャワー利用維持装置の実施例を示す正面図である。
【図２】本考案の押釦式終止シャワー利用維持装置の実施前を示す正面図である。
【符号の説明】
【００１０】  １  吸盤
２面ファスナーベルト
３面ファスナー結合部
(57)【要約】      （修正有）【課題】アルミ合金質感光沢を有する鉄質材料表面構造を提供する。【解決手段】鉄質材料表面構造で、主要基材は、すでに加工成型された鉄質材料で、鉄質材料表面１０は、一層のスズ膜層１１を覆着し、スズ膜層上に、更に、一層の透明保護層１２を覆着し、スズ膜層は、アルミ合金材料の亮彩を提供し、透明保護層は、アルミ合金材料の立体レイヤーの光沢を提供し、鉄質材料表面が、アルミ合金材料の質感を有すると共に、防錆抗酸化を向上させる。【選択図】図１
0003114692.tif 000002
【実用新案登録請求の範囲】
【請求項１】
鉄質材料表面構造であって、その特徴は、
基材は、すでに加工成型された鉄質材料で、前記鉄質材料表面は、一層のスズ膜層を覆着し、前記スズ膜層上に、更に、一層の透明保護層を覆着し、前記スズ膜層は、アルミ合金材料の亮彩を提供し、前記透明保護層は、アルミ合金材料の立体レイヤーの光沢を提供し、前記鉄質材料表面が、アルミ合金材料の質感を有することを特徴とする鉄質材料表面構造。
【請求項２】
前記鉄質材料表面が覆着するスズ膜層上に、更に、一層の有色透明保護層を有し、前記鉄質材料表面に、有色のアルミ合金材料の質感を形成することを特徴とする請求項１に記載の鉄質材料表面構造。
【請求項３】
前記スズ膜層、前記透明保護層の厚さは、それぞれ、５〜２５μｍであることを特徴とする請求項１、或いは、２に記載の鉄質材料表面構造。
【請求項４】
前記スズ膜層は、好ましい導電性を有し、電気鍍金加工方式により、前記鉄質材料表面を覆着することを特徴とする請求項１、或いは、２に記載の鉄質材料表面構造。
【請求項５】
前記透明保護層は、噴塗とベーキングにより形成されることを特徴とする請求項１、或いは、２に記載の鉄質材料表面構造。
【考案の詳細な説明】
【技術分野】
【０００１】
本考案は、アルミ合金質感光沢を有する鉄質材料表面構造に関するものであって、特に、鉄質材料がアルミ合金材料を代替し、材料コスト、防錆抗酸化加工コストを大幅に減少させ、防錆抗酸化を向上させる鉄質材料表面構造に関するものである。
【背景技術】
【０００２】
一般のアルミ合金材料表面は、一定程度の亮彩、或いは、特殊な光沢を有し、アルミ合金材料表面に、陽極酸化処理を施して、表面硬度と抗酸化能力を強化しているが、材料特性とコストでは、以下のような欠点がある。
【０００３】
アルミ合金材料の生産製造コストが高く、アルミ合金材料は、加工成型、固接溶接がしにくいという特性があり、アルミ合金製品の単価と材料加工コストが高い。また、一般のアルミ合金材料の陽極電気鍍金処理の加工コストも高く、アルミ合金の質感光沢を有する鉄質材料表面構造を開発することが、業者の目標となっている。
【考案の開示】
【考案が解決しようとする課題】
【０００４】
本考案は、鉄質材料表面構造を提供し、鉄質材料を基材とし、その表面は、順に、スズ膜層と透明保護層を堆積し、スズ膜層は、アルミ合金材料の亮彩を提供し、透明保護層は、アルミ合金材料の立体レイヤーの光沢を提供し、鉄質材料表面が、アルミ合金材料の質感を有すると共に、防錆抗酸化を向上させることを目的とする。
【０００５】
本考案は、鉄質材料表面構造を提供し、鉄質材料を基材とし、その表面は、順に、スズ膜層と透明保護層を堆積し、鉄質材料表面は、スズ材料により、好ましい導電性を有し、密度が高く、ギャップがないスズ膜層を強固に覆着して、スズの好ましい抗酸化特性により、効果的に、防錆抗酸化を提供することをもう一つの目的とする。
【課題を解決するための手段】
【０００６】
上述の目的を達成するため、本考案は、鉄質材料表面構造を提供し、主要基材は、すでに加工成型された鉄質材料で、鉄質材料表面は、一層のスズ膜層を覆着し、スズ膜層上に、更に、一層の透明保護層を覆着し、スズ膜層は、アルミ合金材料の亮彩を提供し、透明保護層は、アルミ合金材料の立体レイヤーの光沢を提供し、鉄質材料表面が、アルミ合金材料の質感を有すると共に、防錆抗酸化を向上させる。
【考案の効果】
【０００７】
本考案により、アルミ合金質感光沢を有する鉄質材料表面構造は、材料コスト、防錆抗酸化加工コストを大幅に減少させ、防錆抗酸化を向上させることが可能である。
【考案を実施するための最良の形態】
【０００８】
図１〜図３は、本考案の鉄質材料表面構造を示す図である。その特徴は、基材は、すでに加工成型された鉄質材料１０で、鉄質材料１０表面は、一層のスズ膜層１１を覆着し、スズ膜層１１上に、更に、一層の透明保護層１２を覆着している。スズ膜層１１、透明保護層１２の厚さは、それぞれ５〜２５μｍで、スズ膜層１１は、アルミ合金材料の亮彩を提供し、透明保護層１２は、アルミ合金材料の立体レイヤーの光沢を提供し、鉄質材料１０表面が、アルミ合金材料の質感を有する。
【０００９】
鉄質材料１０表面が覆着するスズ膜層１１上は、一層の有色の透明保護層を有し、鉄質材料１０表面に、有色のアルミ合金材料の質感を形成する。
【００１０】
又、スズ膜層１１は、好ましい導電性を有して、電気鍍金加工方式により、鉄質材料１０表面に覆着する。透明保護層１２は、噴塗とベーキングにより形成される。
【００１１】
本考案の長所は以下のようである。
【００１２】
１．       
鉄質材料１０表面はアルミ合金表面の亮彩、光沢、質感を有する。
２．       
価格が安く、成型加工、固接が容易な鉄質材料を採用する。
３．       
電気鍍金のスズ膜層１１は、陰極電着処理が容易で、且つ、好ましい、抗酸化、抗腐食特性を有する。
４．       
スズ膜層の陰極電着処理は、原料と電気鍍金液は無汚染性で、国際環境保護の要求に符合する。
５．       
スズ膜層１１と（有色の）透明保護層１２を合わせた鉄質材料表面は、抗酸化、抗腐食、防錆の特性の相乗効果で、鉄質材料１０の使用寿命を大幅に延長できる。
６．       
鉄質材料１０表面は、密度が高く、ギャップがないスズ膜層を強固に覆着して、スズの好ましい抗酸化特性により、防錆、抗酸化、寿命延長の特性により、陽極酸化処理を施したアルミ合金材料を超過する。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案のアルミ合金質感光沢を有する鉄質材料表面構造を示した説明図である。
【図２】本考案のアルミ合金質感光沢を有する鉄質材料表面構造を示した断面図である。
【図３】本考案のアルミ合金質感光沢を有する鉄質材料表面構造を示した断面図である。
【符号の説明】
【００１５】
１０…鉄質材料表面
１１…スズ膜層
１２…透明保護層    
【図１】
0003114692.tif 000003
【図２】
0003114692.tif 000004
【図３】
0003114692.tif 000005
(57)【要約】【課題】眼鏡の着用者が首を後方に回すこと等により後方を振り返えることなく、即ち、眼鏡の着用者が前方を向いたまま、後方を視認することができるようにした眼鏡を提供する。【解決手段】左右一対のテンプル３を備えたフレーム１における左右一対のリム５にそれぞれレンズ１１を嵌着してなる眼鏡において、該フレーム１には後方を視認するための左右一対のミラー１７を備えさせたことを特徴とする眼鏡。各ミラー１７は、好ましくは、前後方向に進退自在（矢印ａ）、前後方向に傾動自在（矢印ｂ）、かつ、左右方向に回動自在（矢印ｃ）となす。【選択図】図１
0003114698.tif 000002
【実用新案登録請求の範囲】
【請求項１】
左右一対のテンプルを備えたフレームにおける左右一対のリムにそれぞれレンズを嵌着してなる眼鏡において、該フレームには後方を視認するための左右一対のミラーを備えさせたことを特徴とする眼鏡。
【考案の詳細な説明】
【技術分野】
【０００１】
本考案は、眼鏡に関するものであり、特に、後方視認用のミラーを備えた眼鏡に係るものである。
【背景技術】
【０００２】
眼鏡としては、例えば実開平６−５５１２２号公報に示すように、左右一対のテンプルを備えたフレームにおける左右一対のリムにそれぞれレンズを嵌着してなるものが従来より広く使用されている。
【特許文献１】実開平６−５５１２２号公報
【考案の開示】
【考案が解決しようとする課題】
【０００３】
眼鏡は、近視、遠視、乱視、老視等を矯正し、光、埃等から目を保護し、或いはファッション等のために、従来より好ましく使用されているが、眼鏡は専ら前方を見るために使用されるものである。
【０００４】
即ち、眼鏡の着用者が後方を視認するためには、首を後方に回すこと等により後方を振り返らなければならない。
【０００５】
しかるに、例えばバックミラーを備えていない自転車による走行中、或いはマラソン中等に後方を視認するために後方を振り返ったときには、その間、前方を見ていないことになり極めて危険である。
【０００６】
また、道路工事、鉄道の保線工事等を行なう際には、安全のために、常時後方を確認する必要があるが、頻繁に後方を振り返ることは面倒であり、作業に対する集中力を損なうおそれもある。
【０００７】
本考案は、このような問題を解決し、眼鏡の着用者が首を後方に回すこと等により後方を振り返えることなく、即ち、眼鏡の着用者が前方を向いたまま、後方を視認することができるようにした眼鏡を提供しようとしてなされたものである。
【課題を解決するための手段】
【０００８】
上記課題を解決するために、本考案は下記の眼鏡を提供する。
【０００９】
左右一対のテンプルを備えたフレームにおける左右一対のリムにそれぞれレンズを嵌着してなる眼鏡において、該フレームには後方を視認するための左右一対のミラーを備えさせたことを特徴とする眼鏡。
【００１０】
［考案の作用］
本考案による眼鏡は、従来の眼鏡と同様にして着用される。本考案による眼鏡を着用したときには、着用者は首を前方に向けたまま、目を若干動かすことにより、左右一対のミラーを介して後方を視認することができる。
【考案の効果】
【００１１】
本考案によれば、眼鏡の着用者は、首を後方に回すこと等により後方を振り返えることなく、換言すれば、首を前方に向けたまま、目を若干動かすことにより、ミラーにより後方を視認することができる。従って、バックミラーを備えていない自転車による走行中、或いはマラソン中等に、後方を安全に確認することができる。また、道路工事、鉄道の保線工事等においても、作業を行いながら、後方の安全を確認することができる。
【考案を実施するための最良の形態】
【００１２】
次に、本考案を添付図面に従って具体的に説明する。
【００１３】
まず、本考案が適用される眼鏡について説明する。
【００１４】
符号１に示すものは眼鏡のフレームである。
【００１５】
フレーム１は、左右一対のテンプル３、３と左右一対のリム（縁）５、５とを備えている。
【００１６】
左右一対のテンプル３、３は、それぞれ回動軸７を介して内側方向に折り畳み自在である。各テンプル３は、端部に耳あて９を備えている。
【００１７】
左右一対のリム５、５にはそれぞれレンズ１１が嵌着される。レンズ１１には「度なし」レンズも含まれる。
【００１８】
符号１３に示すものはブリッジ、符号１５に示すものはノーズパッドである。
【００１９】
しかして、本考案においては、フレーム１には後方を視認するための左右一対のミラー１７、１７を備えさせる。
【００２０】
各ミラー１７は、一例として、ミラー本体１９（図２における点線参照）をミラーホルダー２１に保持させてなるものとする。
【００２１】
各ミラー１７は、好ましくは、前後方向に進退自在（図２における矢印ａ参照）、前後方向に傾動自在（図２における矢印ｂ参照）、かつ、左右方向に回動自在（図２における矢印ｃ参照）となす。
【００２２】
即ち、一例として、各ミラー１７に折曲自在、かつ、ねじり自在の合成樹脂製のアーム２３を備えさせ、一方、テンプル３の側部にはアーム支持孔２５を備えさせ、該アーム２３をアーム支持孔２５に摺嵌する。
【図面の簡単な説明】
【００２３】
【図１】本考案による眼鏡の一例を示す斜視図である。
【図２】同上眼鏡の側面図である。
【図３】図２のＩＩＩ−ＩＩＩ線における断面図である。
【符号の説明】
【００２４】
１  フレーム
３  テンプル
５  リム
７  回動軸
９  耳あて
１１  レンズ
１３  ブリッジ
１５  ノーズパッド
１７  ミラー
１９  ミラー本体
２１  ミラーホルダー
２３  アーム
２５  アーム支持孔
【図１】
0003114698.tif 000003
【図２】
0003114698.tif 000004
【図３】
0003114698.tif 000005
(57)【要約】【課題】  本考案は足裏用マットにおいて、飽きのこない、かつ天然の小石の感触を楽しみながら足の裏の血行をよくするようにしたものである。【解決手段】  本考案は、硬質ゴム製マットに複数の貫通孔を設け、天然の小石の形に鋳造したアルミニウム合金製小石で、その底面に頭付きナットの頭部が入る程度にナット頭用窪み部を設け、前記ナット頭用窪み部に頭付きナットの頭部を固定し、前記頭付きナットのナット部を前記硬質ゴム製マットの貫通孔に挿入し、前記硬質ゴム製マットの底面にボルト頭部が入る程度にボルト頭用窪み部を設け、前記硬質ゴム製マットの底面から、前記頭付きナットにボルトを螺合したことを特徴とする足裏用マット。【選択図】  図１
0003114642.tif 000002
【実用新案登録請求の範囲】
【請求項１】
硬質ゴム製マットに複数の貫通孔を設け、天然の小石の形に鋳造したアルミニウム合金製小石で、その底面に頭付きナットの頭部が入る程度にナット頭用窪み部を設け、前記ナット頭用窪み部に頭付きナットの頭部を固定し、前記頭付きナットのナット部を前記硬質ゴム製マットの前記貫通孔に挿入し、前記硬質ゴム製マットの前記貫通孔の底面にボルト頭部が入る程度にボルト頭用窪み部を設け、前記硬質ゴム製マットの底面から、前記頭付きナットにボルトを螺合したことを特徴とする足裏用マット。
【請求項２】
ボルトの表面にユニクロ鍍金したボルトを使用した請求項１記載の足裏用マット。
【請求項３】
ボルトのネジ部に緩み止めシール加工したボルトを使用した請求項１記載の足裏用マット。
【請求項４】
アルミニウム製小石の表面に焼付アクリル樹脂塗料で塗装した請求項１記載の足裏用マット。
【考案の詳細な説明】
【技術分野】
【０００１】
本考案は、足踏みによって足裏に刺激を与える足裏用マットに関するものである。
【背景技術】
【０００２】
足裏に刺激を与えるマットには、竹製足踏み、または凹凸状合成樹脂製マットがあったが、使っていてすぐに飽きがくる、また単に痛いだけであった。
【０００３】
この改善策として、天然の小石を室内で踏めるマットがあればよいと考えたが、自然の小石では踏んだ際、万一割れると怪我をすることになり、また天然の小石はマットに馴染まず、マットから動き、ずれることになる。
【考案の開示】
【考案が解決しようとする課題】
【０００４】
解決しょうとする問題点は、天然の小石の形状であるので、ランダムであり、マットに固定し、安全で、使用していて飽きがこない点である。
【課題を解決するための手段】
【０００５】
本考案は、硬質ゴム製マットに複数の貫通孔を設け、天然の小石の形に鋳造したアルミニウム合金製小石で、その底面に頭付きナットの頭部が入る程度にナット頭用窪み部を設け、前記ナット頭用窪み部に頭付きナットの頭部を固定し、前記頭付きナットのナット部を前記硬質ゴム製マットの前記貫通孔に挿入し、前記硬質ゴム製マットの底面にボルト頭部が入る程度にボルト頭用窪み部を設け、前記硬質ゴム製マットの底面から、前記頭付きナットにボルトを螺合したことを特徴とする。        
【考案の効果】
【０００６】
本考案の足裏用マットは、天然の小石そっくりのアルミニウム合金製小石ですので、天然の小石と違って割れることがなく、一つひとつの形が異なり、足裏に当たる感触が使用する度に違うので、飽きることがない。本考案の足裏用マットを一日数分間使用することにより、足裏の皮膚、筋肉、血管、経穴（ツボ）を刺激し、足（足裏）の血行を改善することにより、全身の血液の循環が改善されます。これによって、局所の冷えを解消し、筋肉や神経の疲れが取れ、疲労の回復を促進する。
【０００７】
また、足裏用マットの底面に取付けたボルト頭にはユニクロ鍍金してあるので、人体に有害性がなく、さらにアルミニウム製小石に焼付アクリル樹脂塗料で塗装してあるので、滑らかであり、安全である。
また、本考案の足裏用マットは、簡単に組立てることができ、一度組立てると、ボルトのネジ部に緩み止めシール加工してあるので、アルミニウム製小石が緩むことがなく、安全である。    
【考案を実施するための最良の形態】
【０００８】
本考案は、天然の小石を足踏みできるという目的を、アルミニウム製小石を固定した足裏用マットで、安全にしかも飽きがこないように実現した。
【実施例１】
【０００９】
図１は、本考案の一実施例であって、１は、アルミニウム製小石であって、２は、硬質ゴム製マットであり、硬質ゴム製マット２に複数の貫通孔２ａを設ける。アルミニウム製小石１の底面にナット頭用窪み部１ａを設け、頭付きナット３の頭部３ａがナット頭用窪み部１ａに固定し、頭付きナット３のナットネジ部３ｂを貫通孔２ａに挿入する。そして、硬質ゴム製マット２の底面にボルト頭用窪み部２ｂを設けて、硬質ゴム製マット２の底面からボルト４を頭付きナット３に螺合する。ボルト頭部４ａが硬質ゴム製マット２の底面より出ないが、硬質ゴム製マット２にカーペット５を敷くと、ふらついた時に足をカーペット５に乗せることができる。
【００１０】
また、人体に有害とならないように、ボルト４の表面にユニクロ鍍金をしてもよいし、  また、足踏みの振動によってネジが緩まないように、ボルト４のネジ部に緩み止めシール加工してもよい。さらに、小石の表面でケガしないように、アルミニウム製小石１の表面に焼付アクリル樹脂塗料で塗装しても良い。塗料の色は、アーバンカラーグレーにすると、高級感が出る。
【産業上の利用可能性】
【００１１】
アルミニウム製小石を大小、多数固定した足裏用マットであるので、使用した人の足の裏に気持ちが良く、しかも飽きがこない刺激を与え、足の血行を良くする働きがあり、健康増進器具として利用することできる。
【図面の簡単な説明】
【００１２】
【図１】本考案の一実施例の一部切欠き部分断面図である。
【図２】本考案の一実施例を示した平面図である。
【符号の説明】
【００１３】
１    アルミニウム製小石
１ａ  ナット頭用窪み部  
２    硬質ゴム製マット
２ａ  貫通孔
２ｂ  ボルト頭用窪み部  
３    頭付きナット
３ａ  ナット頭部
３ｂ  ナットネジ部
４    ボルト
４ａ  ボルト頭部
【図１】
0003114642.tif 000003
【図２】
0003114642.tif 000004
(57)【要約】      （修正有）【課題】運動時において使用者の姿勢を支持する弾力を有する棒状運動具を提供する。【解決手段】内部に空気を注入するための中空部１２が形成される棒状体１１を有し、該棒状体の一端に該中空部と連通する空気注入孔１３が形成され、該空気注入孔に封止ブロック１４が設けられることを特徴とする。【選択図】図２
0003114677.tif 000002
【実用新案登録請求の範囲】
【請求項１】
内部に空気を注入するための中空部が形成される棒状体を有し、該棒状体の一端に該中空部と連通する空気注入孔が形成され、該空気注入孔に封止ブロックが設けられることを特徴とする棒状運動具。
【請求項２】
前記棒状体の表面に一体形成の突起体が設けられることを特徴とする請求項１に記載の棒状運動具。
【請求項３】
前記棒状体の表面に突起体が接着されることを特徴とする請求項１に記載の棒状運動具。
【考案の詳細な説明】
【技術分野】
【０００１】
本考案は、特に運動時において、使用者の姿勢を支持する弾力を有する、棒状運動具に関するものである。
【背景技術】
【０００２】
一般に、運動をする際には、様々な運動具が使用され、従来、例えばステッパー、エアロライフトリマー、ローイングトリマー、ウォーカー、サイクルマシンなどが用いられていった。
【考案の開示】
【考案が解決しようとする課題】
【０００３】
しかしながら、前記従来の運動具は、身体の特定部位に対しては運動効果を有するが、身体が異なる姿勢となった時には対応できないので、使用範囲が制限されるという問題があった。
【０００４】
そこで、案出されたのが本考案であって、運動時において使用者の姿勢を支持する弾力を有する棒状運動具を提供することを目的としている。
【課題を解決するための手段】
【０００５】
本願の請求項１の考案は、内部に空気を注入するための中空部が形成される棒状体を有し、該棒状体の一端に該中空部と連通する空気注入孔が形成され、該空気注入孔に封止ブロックが設けられることを特徴とする棒状運動具、を提供する。
【０００６】
本願の請求項２の考案は、前記棒状体の表面に一体形成の突起体が設けられることを特徴とする請求項１に記載の棒状運動具、を提供する。
【０００７】
本願の請求項３の考案は、前記棒状体の表面に突起体が接着されることを特徴とする請求項１に記載の棒状運動具、を提供する。
【考案の効果】
【０００８】
本考案は上記の課題を解決するものであり、内部に空気を注入するための中空部が形成される棒状体を有し、該棒状体の一端に該中空部と連通する空気注入孔が形成され、該空気注入孔に封止ブロックが設けられるので、運動時においての使用者の姿勢を有効に支持することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る棒状運動具の斜視図であり、図２は本考案に係る棒状運動具の断面図であり、図３〜図１５は本考案に係る棒状運動具の使用状態を示す斜視図であり、図１６は本考案に係る棒状運動具の他の実施例を示す斜視図である。
【００１１】
図１及び図２に示すように、本考案に係る棒状運動具（１０）は、内部に空気を注入するための中空部（１２）が形成される棒状体（１１）を有し、該棒状体（１１）の一端に該中空部（１２）と連通する空気注入孔（１３）が形成され、該空気注入孔（１３）に封止ブロック（１４）が設けられる。
【００１２】
図３乃至図１５に示すように、本考案に係る棒状運動具（１０）は、使用者の異なる姿勢に対して弾力支持効果を提供でき、例えば手によって運動具（１０）を立たせて使用したり、運動具（１０）の上に坐ったり、横になって使用したりすることができる。
【００１３】
又、図１６に示すように、本考案に係る棒状運動具（１０）は、表面に一体形成又は接着する突起体（１５）が設けられることにより、運動する際、更にマッサージ効果を提供できる。
【００１４】
本考案に係る棒状運動具（１０）は弾力を有し、使用者の運動姿勢に対応して異なる支持効果を提供できるので、足や手や腰部など異なる部位を楽に運動することができる。
【産業上の利用可能性】
【００１５】
本考案は上記の構成を有するので、内部に空気を注入するための中空部が形成される棒状体を有し、該棒状体の一端に該中空部と連通する空気注入孔が形成され、該空気注入孔に封止ブロックが設けられるので、運動時においての使用者の姿勢を有効に支持することができる。
【図面の簡単な説明】
【００１６】
【図１】本考案に係る棒状運動具の斜視図である。
【図２】本考案に係る棒状運動具の断面図である。
【図３】本考案に係る棒状運動具の使用状態を示す斜視図である。
【図４】本考案に係る棒状運動具の使用状態を示す斜視図である。
【図５】本考案に係る棒状運動具の使用状態を示す斜視図である。
【図６】本考案に係る棒状運動具の使用状態を示す斜視図である。
【図７】本考案に係る棒状運動具の使用状態を示す斜視図である。
【図８】本考案に係る棒状運動具の使用状態を示す斜視図である。
【図９】本考案に係る棒状運動具の使用状態を示す斜視図である。
【図１０】本考案に係る棒状運動具の使用状態を示す斜視図である。
【図１１】本考案に係る棒状運動具の使用状態を示す斜視図である。
【図１２】本考案に係る棒状運動具の使用状態を示す斜視図である。
【図１３】本考案に係る棒状運動具の使用状態を示す斜視図である。
【図１４】本考案に係る棒状運動具の使用状態を示す斜視図である。
【図１５】本考案に係る棒状運動具の使用状態を示す斜視図である。
【図１６】本考案に係る棒状運動具の他の実施例を示す斜視図である。
【符号の説明】
【００１７】
１０  運動具
１１  棒状体
１２  中空部
１３  空気注入孔
１４  封止ブロック
１５  突起体
【図１】
0003114677.tif 000003
【図２】
0003114677.tif 000004
【図３】
0003114677.tif 000005
【図４】
0003114677.tif 000006
【図５】
0003114677.tif 000007
【図６】
0003114677.tif 000008
【図７】
0003114677.tif 000009
【図８】
0003114677.tif 000010
【図９】
0003114677.tif 000011
【図１０】
0003114677.tif 000012
【図１１】
0003114677.tif 000013
【図１２】
0003114677.tif 000014
【図１３】
0003114677.tif 000015
【図１４】
0003114677.tif 000016
【図１５】
0003114677.tif 000017
【図１６】
0003114677.tif 000018
(57)【要約】      （修正有）【課題】樹脂補強した布、樹脂板、金属板など、繊維板のほか塑性のある基板材もこの利用範囲であり、さらに装飾板の裏面から照明を当て、その反射を利用して装飾性を高めることができる装飾具を提供する。【解決手段】  板紙による習作程度の作品により、初期の目的効果は確認しているが、商業的、本格的な取り組みを行ない、使用材料、加工法、照明法等は研究試作を重ねて、産業で多くの展開の可能性をもつ。【選択図】図４
0003114635.tif 000002
【実用新案登録請求の範囲】
【請求項１】
1枚の板紙を基板として、この基板板紙上に、その内部の一部を局部的に連接した状態で、文字、作図等を切り離して描写体を形成し、さらにこの描写体と基板とを局部的に連接する連接部を支点軸に図形等の中央部より、への字形に曲げ起こすと共に、しかも基板を反対方向へ逆への字に曲げたことを特徴とする装飾具。
【請求項２】
基板と描写体とを切り離してり形成された空間より、照明、自然光等を照射、反射漏洩させるようにしたことを特徴とした請求項１記載の装飾具。
【考案の詳細な説明】
【技術分野】
【０００１】
本考案は、文字表札、看板、案内、標識、記号、図形等を室内外に飾る。
【背景技術】
【０００２】
板紙の上に文字、図形等を作図し、それを切り離す際その一部を連接点として残し、立体にへの字形に起こす際、その連接点を支点軸として軽く捻りを加えても、板紙は繊維の集合組織であるため、連接点は容易に切断しない。これを活用したのが本件の重要な技術背景である。
樹脂補強した布、樹脂板、金属板などの塑性のある材料も、この利用範囲である。
さらに装飾板の裏面から照明を当て、その反射を利用して装飾性を高める。
【考案の開示】
【考案が解決しようとする課題】
【０００３】
本体材料は１枚の板材で、図形等を完全に切り離すことなく目的の立体図形等が得られる。さらに、立体図形等の視認性と装飾性を照明で高める。
【課題を解決するための手段】
【０００４】
立体に表現するのを目的とした図形等の連接点は、切り込みの際、１〜２mmの範囲で支点軸として残す。その箇所は作図の際に慎重に設計し、図形等の切り込みに際し切り間違わないこと。図形等の部分をへの字に、それ以外の基板部分を逆への字に中心線より曲げる。その角度は150°前後が適当。支点軸の連接部分に軽く捻りが加わる。
裏面より当てる照明光の光源が直接目に入らないよう、裏面と光源との間に半透明板を設けるか、または光源光を予め設けた反射板に一旦当て、その反射光を装飾具本体の裏面に当てる方法もある。
図形等の裏面に当る光は反射拡散し、その光が基板表面の図形の切り口周辺を明るくし、周辺に濃淡効果を見せ、図１のＣ点より中央寄りの図形部分は陰になり、Ｃ点より外側の図形部分は、基板裏面の反射光を受けて明るくなる。この結果、図形等が陰と光に当る部分がＣ点を境に逆になるものの、図形全体はこの明暗をもって浮き出る。（図４を参照）    
【考案の効果】
【０００５】
あらゆる文字または図形を立体化でき、かつ、裏面からの照明による反射光でより装飾的な立体効果を発揮し、この反射光による濃淡現象が幽玄の不思議な雰囲気を醸し出す。
【考案を実施するための最良の形態】
【０００６】
厚さ０.４mm程度の板紙に、目的の図形または文字を設計し、連接点を残して切り出し刃物で切り込む。これを立体に浮き出させるようへの字に折り曲げる図形等と、基板を逆への字に曲げる側を同時に曲げながら所要の図柄等を立体的に表出する。このとき、曲げる角度は凡そ150°前後が手ごろである。できた図柄等を額縁枠等に嵌めて固定し、裏面より照明を当ててより装飾効果を発揮させる。
【産業上の利用可能性】
【０００７】
文字表札、看板、案内表示、標識、記号等の分野で装飾的に演出するのに適し、床の間に行燈型、壁面照明器具型等と組み合わせ室内照明と兼ねての用途展開も図れる。
【図面の簡単な説明】
【０００８】
【図１】本考案装飾具の正面図。
【図２】同上のＤ−Ｄの断面図。          図形Ｂをへの字に表出するようＣＬ部分で凸に曲げ、基盤Ａの部分は逆への字になるよう同時に曲げる。曲げの角度は約150°。Ｂが浮き出た断面図。
【図３】同上の鳥瞰図。
【図４】同上の使用状態を示す斜視図。
【符号の説明】
【０００９】
Ａ  基板板紙    
Ｂ  図形または文字
Ｃ  連接点（支点軸）
ＣＬ  中心線  
ＳＬ  Ｃ点を求めるための補助線
ＢＨ  図形等の切り出し線  
Ｄ−Ｄ  断面箇所
Ｌ  光で明るくなる部分    
Ｓ  陰になる部分
【図１】
0003114635.tif 000003
【図２】
0003114635.tif 000004
【図３】
0003114635.tif 000005
【図４】
0003114635.tif 000006
(57)【要約】【課題】  肩にやさしく、背中のリュックに入れた財布等の必需品の出し入れの不便さを解消させ、後方から見た場合のファッション性もあり、汎用性の高いベスト式リュックサックを提供する。【解決手段】ベストとリュックサックとが組み合わされているベスト式リュックサックにあって、該ベスト式リュックサックの前身頃に着脱自在のポーチを取り付け、ベストの両肩と背中上部にクッション材を用いたベスト式リュックサック。【選択図】  図１      
0003114637.tif 000002
【実用新案登録請求の範囲】
【請求項１】
ベストとリュックサックとが組み合わされているベスト式リュックサックにあって、該ベスト式リュックサックの前身頃にポーチを取り付け、ベストの両肩と背中上部にクッション材を用いたことを特徴とするベスト式リュックサック。
【請求項２】
前記ベスト式リュックサックに取り付けられたポーチは着脱自在とすることを特徴とする請求項１記載のべスト式リュックサック。
【考案の詳細な説明】
【技術分野】
【０００１】
本考案は、ベスト式リュックサックに関し、更に詳細に述べると、ベストとリュックサックとが組み合わされているベスト式リュックサックに関するものである。
【背景技術】
【０００２】
ベストは通称チョッキとも称され、着衣場所によって構造が多少異なるが、概ね丈が短く袖のない前開き構造である。登山やハイキングにおいてもベストが用いられ、その保温性と身体の動きを束縛しない点から重宝がられている。
【０００３】
一方、リュックサックは登山やハイキングの際にはなくてはならないものである。従来よりリュックサックの構造は布製の背負い袋に背負いバンドが取り付けられている。
【考案の開示】
【考案が解決しようとする課題】
【０００４】
従来のリュックサックは荷物を入れて背負った場合に荷重が両肩の紐（ベルト）にかかる難点があり、リュックサックの肩紐は細く肩にくい込み肩こりを起こしやすいものであった。これを避けるために肩にかかる部分にフェルトを貼るなどの手段がとられていたが荷重を分散させる効果には乏しいものであった。
【０００５】
また、ベストは保温とか服飾効果が主であって、他の目的に用いられた例を聞かない。
【課題を解決するための手段】
【０００６】
本考案は、登山やハイキング等で用いられるリュックサックの持つ難点を、同時に用いられることの多いベストと組み合わせることによって解決したものである。すなわち、両肩と背中上部にクッション材を用いたベストとリュックサックとが組み合わされていることを特徴とするものである。
【考案の効果】
【０００７】
このような構造のベストは背部の背負い袋に入っている荷物の荷重が両肩と背中上部に分散され肩にやさしく負担の軽減がなされる。
【０００８】
また、本考案のベスト式リュックサックの前身頃にポーチを取り付けることにより、従来背中のリュックサックに入れた財布等の必需品の出し入れの不便さがなくなり、ファッション性を加味した汎用性の高いベスト式リュックサックを提供することができ、登山やハイキング等を更に楽しいものとする効果が得られる。
【考案を実施するための最良の形態】
【０００９】
上記のように、本考案のベスト式リュックサックは肩にやさしく背中のリュックに入れた財布等の必需品の出し入れの不便さを解消させ、ファッショナブルで汎用性の高いものとなり、登山やハイキング等に利用できる。
【実施例】
【００１０】
以下図面によって本考案の実施例を詳細に説明する。図１は本考案のベスト式リュックサック本体の一実施例を示す正面図である。ベストの両肩部分と背中上部にクッション材１０を用いベルト３をプラスチックバックル（大）５でつなぎ、ベスト式リュックサック１の前身頃にポーチ７を取り付け、またポケット６には入り口部分にチャックを取り付けて小物入れとする構成になっている。
【００１１】
図２は本考案のベスト式リュックサック本体の一実施例を示す背面図である。ベストの両肩部分と背中上部にクッション材１０を用い、プラスチックバックル（小）４で上蓋９を止め、背負い袋は雨傘や水筒や敷物等を分別して収納できるように中央部に取り付けられている。また小物入れのポケット６も取り付けられている。更に持ち手８を取り付けベスト式リュックサックを手に持って歩けることもできる構成になっている。
【００１２】
上記上蓋９の絵柄を考慮すれば着ているものとのおしゃれな色あわせもできる。
【００１３】
また、本考案のベスト式リュックサック１の前身頃に取り付けられたポーチ７はプラスチックバックル（大）５で止めてあり着脱自在となっている。図３はポーチ７を取り外した場合の本考案のベスト式リュックサック本体の一実施例を示す正面図である。
【００１４】
さらに本考案のベスト式リュックサックは適当な材料で作ることができ、例えば断熱材や和布でも作ることができる。
【００１５】
したがって、本考案のベスト式リュックサックは肩にやさしく、後方から見た場合のファッション性もあり、汎用性の高いベスト式リュックサックとして提供することができることになる。
【図面の簡単な説明】
【００１６】
【図１】本考案のベスト式リュックサック本体の一実施例を示す正面図である。
【図２】本考案のベスト式リュックサック本体の一実施例を示す背面図である。
【図３】ポーチを取り外した場合の本考案のベスト式リュックサック本体の一実施例を示す正面図である。
【符号の説明】
【００１７】
１    ベスト式リュックサック
２    チャック
３    ベルト
４    プラスチックバックル（小）
５    プラスチックバックル（大）
６    ポケット
７    ポーチ
８    持ち手
９    上蓋
１０  クッション材
【図１】
0003114637.tif 000003
【図２】
0003114637.tif 000004
【図３】
0003114637.tif 000005
(57)【要約】      （修正有）【課題】キャンディなどの菓子類、アクセサリーなどを収納するほか、テーブルセンター又は花器等の敷物として利用できる小物入れ。【解決手段】３枚の布１．２．３を縫合し、最上部の布３に取り付けたヒモ４を引くことにより花びらのように立体化する。布の間にできたスペースに菓子類、アクセサリーなどの収納が可能になり、見た目の華やかさを利用し、菓子類のギフト包装用としても最適である。【選択図】図１
0003114634.tif 000002
【実用新案登録請求の範囲】
【請求項１】
略円形の布３枚と最上部に通されたヒモによりテーブルセンターとアクセサリー等の収納を可能にする小物入れ
【考案の詳細な説明】
【技術分野】
【０００１】
本考案は、アクセサリー、キャンディ等の小物をディスプレイ感覚で収納する小物入れで、テーブルセンター、花びんなどの敷物としても利用が可能である
【背景技術】
【０００２】
従来の収納ケース、菓子などの盛り皿などは陶器、プラスチック、木製などを使用していた。
【考案の開示】
【考案が解決しようとする課題】
【０００３】
本考案は、従来のキャンディーポット、アクセサリーの収納ボックスがわりに使用できるほか、不使用時には場所をとらず、フラットな状態なため、テーブルセンター、または、花器等の敷物としても利用できる小物入れを提供する
【課題を解決するための手段】
【０００４】
複数の略円形の布をそれぞれ縫合し、最上部の布にのみヒモを設けることを考案した。
この構造により、平面から極めて容易に立体的に変化する小物入れとしての利用が可能になる。
【考案の効果】
【０００５】
本考案により、キャンディーなどの提供が華やかになり、ギフト用キャンディーポットとしての利用も可能。縫合により複数の仕分けスペースができるので、アクセサリー用の小物入れにも適する。不使用時には、ヒモを解くことで平面になるので場所をとらず、敷物としても利用できる。また、耐水性の素材であれば、各スペースに花を挿し、手軽にアレンジメントフラワーを楽しめる花器にもなる。
【考案を実施するための最良の形態】
【０００６】
ヒモを引くと立体化し花が開いたような形になり、３枚の布の間に複数のスペースが生じ、キャンディーやアクセサリーなどを収納することができる。
【実施例１】
【０００７】
平面の状態では、テーブルセンターや、花器や置物等の敷物としても利用できる。
【実施例２】
【０００８】
ヒモを引くことにより、花びらのような形状になり、適度なゆるみでヒモを結ぶ。３枚の布の間にできたスペースにキャンディやアクセサリー類を収納できる。
【産業上の利用可能性】
【０００９】
軟質プラスチックなど材質を変えるなど、耐水性の素材であれば各スペースに花を挿し手軽にアレンジメントフラワーを楽しめる花器としても利用可能である。
菓子類のギフト包装用としても最適で、また、観光地のお土産として、その土地を象徴した図案などを刺繍して販売すれば観光客に喜ばれる。
【図面の簡単な説明】
【００１０】
【図１】小物入れの実施例を示す斜視図である。
【図２】本考案の斜視図である。
【符号の説明】
【００１１】
１    布
２    布
３    布
４    ヒモ
５    縫合線
【図１】
0003114634.tif 000003
【図２】
0003114634.tif 000004
(57)【要約】      （修正有）【課題】安全で携帯に便利、丈夫な使い捨て携帯滑り止め靴カバーを提供する。【解決手段】靴カバーは、編み機で制作するため靴底や踵部は二重、三重編みで耐久性を計り、先のとがった靴やハイヒールは編み方で解決出来る。【選択図】図２
0003114325.tif 000002
【実用新案登録請求の範囲】
【請求項１】
綿とナイロン繊維及びポリエステル繊維の混合編みに依る靴カバーであり、先端部が靴のつま先が挿入出来るように開口し、靴底及び側面に密着し被さる部分をメリヤス編みで形成するとともに踵部に被さる後方開口部には、ゴム編みに依る足首部に通して固定する輪状バンドを設けて成る船底形の滑り止め靴カバー。
【考案の詳細な説明】
【技術分野】
【０００１】  本考案は雪や凍結の路面に対し又、地域や履く靴に限定されない靴の滑り止めに関する。
【背景技術】
【０００２】  氷雪上の滑り止めは限られた地域のもので、すでに工夫されたゴムが靴底に貼り付けたものや、金属ピンを埋め込んであるもの。又、靴底の一部にゴムを接着剤で固定したり、ゴムに金属の粒子やピンの付いたゴムバンド式が多い。
【特許文献１】  特開２００４−３０５６５７号公報
【特許文献２】  特開２００３−２３０４０５号公報
【特許文献３】  特開２００２−２３３４０３号公報
【特許文献４】  特開  平１１−３１８５１３号公報
【特許文献５】  特開  平１０−２７６８０５号公報
【考案の開示】
【考案が解決しようとする課題】
【０００３】  しかしこれでは、即必要な時  専門店しかない為時間もかかり、滑り止めも底の減ったゴムは効力がなく、金属の付いた滑り止めは安全性に疑問があり、比較的小さな子供や、身体の不自由な人には携帯しづらく不便である。一方で繊維で編んだ足カバーや、靴下カバーなどは全て室内用で形状的、構造的にも歩行上靴に対応出来ない。
【課題を解決するための手段】
【０００４】  そこで、綿とナイロン繊維及びポリエステル繊維の混合編みに依る靴カバーであり、先端部が靴のつま先部が挿入出来るように開口し、靴底及び側面に密着し被さる部分をメリヤス編みで形成するとともに、踵部に被さる後方開口部にはゴム編みに依る足首部に通して固定する輪状バンドを設けて成る船底形の滑り止め靴カバーとするものである
【考案の効果】
【０００５】  以下によって、この靴カバーは歩行の際、靴底の繊維に水分が含むと氷雪に付着し靴に体重がかかることで前滑りや横滑りを防ぎ老若男女問わず歩行が楽で安全に携帯できるため地域性に関係なく、雪や凍結の路面に適さない靴でも対応出来、又繊維のため染色することで靴の色に合わすこともでき、比較的傷のつきやすいつま先部もカバーを被せるため保護でき、足の保温効果につながる。
【考案を実施するための最良の形態】
【０００６】  図によって実施する本考案の靴カバーＲを図１〜図５の中で説明すると、図１は靴Ｋに被せる前の形状を表した側面図である。図２は靴Ｋに被せる時、開くと船底形Ｆになる形状で上から見た状態を表した平面図である。図３はショートブーツ（靴）Ｃに被せた状態を表した立面図である。図４は靴Ｋを履いた状態であり、被せる順序で説明すると、仮りに図５の靴Ｋを履き、靴カバーＲを船底形Ｆ（図２）にして、足首部の輪状バンドＢの中に靴のつま先部Ａを通し、先端部Ｏに挿入し、側面Ｅを後方に引っ張りながら後方開口部の踵部Ｔに被せると図４が示すような状態の形状を表す事が出来る立面図である。図５は靴Ｋの状態を表した立面図である。図１〜図４で示す先端部Ｏと側面Ｅそして図１、図２に示す靴底Ｗは綿とナイロン繊維及びポリエステル繊維の混合のメリヤス編みで図１〜図４せ示す後方開口部の踵部Ｔと足首部の輪状バンドＢは同じ繊維の混合編みのゴム編とし、踵部は二重するのが望ましく、全て素のサイズで編むことが条件である。
【図面の簡単な説明】
【０００７】
【図１】本考案に必要な靴カバーを被せる前の形状を表した側面図である。
【図２】本考案に必要な靴カバーを開いて上から見た形状（船底形）を表した平面図である。
【図３】本考案に係わる靴カバーをショートブーツ（靴）に被せた状態の立面図である。
【図４】本考案に係わる靴カバーを靴を履いて被せた状態の立面図である。
【図５】本考案に係る一般的な靴の立面図である。
【符号の説明】
【０００８】Ｒ    靴カバー
Ｆ    船底形
Ｏ    先端部
Ｗ    靴底
Ｅ    側面
Ｂ    足首部の輪状バンド
Ｔ    後方開口部の踵部
Ｋ    靴
Ａ    靴のつま先部
Ｃ    ショートブーツ（靴）
Ｈ    足
【図１】
0003114325.tif 000003
【図２】
0003114325.tif 000004
【図３】
0003114325.tif 000005
【図４】
0003114325.tif 000006
【図５】
0003114325.tif 000007
(57)【要約】      （修正有）【課題】マガジンに収納された基板の撓みを矯正して発塵を抑制し、かつ狭ピッチでの積み上げを可能にする。４辺からのロボットハンドのアクセスを可能にする。【解決手段】基板支持ピン３とスペーサ２をマトリクス状に配置して、ベース板１の４辺全周を支持する。支持ピン３を基板中央部に設けて、基板４の撓みを矯正する。【選択図】図１
0003114328.tif 000002
【実用新案登録請求の範囲】
【請求項１】
基板を水平姿勢で保持するアンダーレイにおいて、支持ピンをマトリクス状に配置して、その支持ピン高さをロボットハンドの厚さ寸法に撓みを考慮した隙間を加えた高さに設定することにより、４辺の４方向から基板を挿入しあるいは取り出すことを特徴とする基板アンダーレイ。
【請求項２】
アンダーレイ外周４辺の基板外縁にスペーサを配置し、単体あるいは積み重ねた状態で基板とアンダーレイの撓みが減少することを特徴とする基板アンダーレイ。
【考案の詳細な説明】
【考案の詳細な説明】
【考案が解決しようとする課題】
【０００１】  マガジンに収納されたガラス基板・プリント回路基板・四角形板等は、中央部を支持する有効な手段が無く、自重により中央部から出口部にかけて大きく撓んで垂れ下がる。そのため、支持部とずれを生じて摩擦し発塵する。
【０００２】  加えて、ロボットハンドに装着するに際して、上下にある基板の間隔を大きくしなければロボットハンドの挿入が出来ず、また、ハンドを上昇させて平面に戻すに際して、ずれを生じて摩擦し発塵する。撓みを少なくし、発塵を抑制する担架方法が求められる。
【課題を解決するための手段】
【０００３】  マガジンを廃止し、マトリクス状に支持ピンを配置したアンダーレイ基板を支持し、４辺に配置したスペーサにより積み上げ可能なアンダーレイに変更する。スペーサには硬質な素材を用い、４辺全周でベース板を支持する。
【０００４】  ベース板には基板を位置決めする機能として、位置決めピン・吸着装置・案内板等が設けられるが、支持ピンあるいは吸着パッドのような点支持による場合、マトリクス状にこれを配置して基板中央部を支持し撓みを矯正する。
【０００５】  清浄環境での使用に際しては、スペーサは材質を硬質材料ピン・セラミクスピン・超高分子プラスチクスピン等の摩耗し発塵することが無い素材を用いる。
【考案の効果】
【０００６】  この考案によるアンダーレイを用いれば、撓みが矯正されるので積み上げピッチを小さく出来、多数枚の収納が可能になり、工場面積が小さく出来る。撓みが少なくなると発麈が抑制でき、載置時の垂れ下がりによる発塵とロボットハンドによる持ち上げ時の発塵が抑制される。
【０００７】  周囲の４辺のスペーサと基板を支持する支持ピンマトリクス状に関連付けて配置することにより、４方向いずれからもロボットハンドによる基板の供給と排出が行え、ラインの編成自由度を高められる。
【０００８】アンダーレイはマガジンに比し、分離して洗浄が容易に行えるので、高度な清浄環境を低コストで保ち得る。
【０００９】  ロボットハンドやコンベアにより枠体をハンドリングすれば、脆弱なガラス基板を直接ハンドリングする際のかけや汚染やマーキングの危険が回避でき、工程安全度が高くなる。
【図面の簡単な説明】
【図１】２本指ハンドに対するアンダーレイの平面図と側面図
【図２】積み上げ時の側面図。
【図３】３本指ハンドに対するアンダーレイの平面図。
【符号の説明】
１  ベース板
２  スペーサ
３  支持ピン
４  基板
５  ２本指ハンド
６  ベース板
７  ３本指ハンド
【図１】
0003114328.tif 000003
【図２】
0003114328.tif 000004
【図３】
0003114328.tif 000005